(57)【要約】【課題】携帯端末間のメールデータを圧縮して送る方法を提供する。【解決手段】携帯端末から他の携帯端末へ電子メールを送信する際にそのメールデータを圧縮する携帯端末のメールデータ圧縮方法であって、前記送信側の携帯端末から電子メールを送信する際に、所望のあて先のアドレスから所定の法則により生成される擬似アドレスへ送信する擬似アドレス向け送信ステップと、該擬似アドレス送信ステップにて送信された擬似アドレスにより、該電子メールデータを中継サーバにより受信し、該電子メールデータのうち、擬似アドレスを本来のアドレスに戻すとともに、本文のデータの中の全角ひらがな、全角カタカナ、全角英数字、全角記号を半角カタカナ、半角英数字、半角記号に変換する電子メールデータ圧縮ステップと、所望のあて先へ送信する本来アドレス送信ステップと、を有する。【選択図】　　図１
2004104597.tif 000002
【特許請求の範囲】
【請求項１】
携帯端末から他の携帯端末へ電子メールを送信する際にそのメールデータを圧縮する携帯端末のメールデータ圧縮方法であって、
前記送信側の携帯端末から電子メールを送信する際に、所望のあて先のアドレスから所定の法則により生成される擬似アドレスへ送信する擬似アドレス向け送信ステップと、
該擬似アドレス送信ステップにて送信された擬似アドレスにより、該電子メールデータを中継サーバにより受信し、該電子メールデータのうち、擬似アドレスを本来のアドレスに戻すとともに、本文のデータの中の全角ひらがな、全角カタカナ、全角英数字、全角記号を半角カタカナ、半角英数字、半角記号に変換する電子メールデータ圧縮ステップと、
所望のあて先へ送信する本来アドレス送信ステップと、
を有する携帯端末のメールデータ圧縮方法。
【請求項２】
請求項１に記載した携帯端末のメールデータ圧縮方法であって、前記電子メールデータ圧縮ステップにおいて、さらに、送信元アドレスを所定の法則により生成される擬似アドレスに変換することにより、前記メールの受け取り者が返信する際にも前記電子メールデータの圧縮ができるようにした携帯端末のメールデータ圧縮方法。
【請求項３】
複数の携帯端末のメールサーバの間に介在し、メールデータのやり取りに関与する携帯端末のメール中継サーバであって、
メールデータのうち送信元アドレスおよびあて先アドレスに対して所定の法則により擬似アドレスを生成する擬似アドレス生成手段と、
該擬似アドレス生成手段により生成された擬似アドレスと本来のアドレスとの間で変換処理を実行するアドレス書き換え手段と、
メールデータのうち本文のデータの全角ひらがな、全角カタカナ、全角英数字、全角記号を半角カタカナ、半角英数字、半角記号に変換するメールデータ圧縮手段と
を有する携帯端末のメール中継サーバ。
【請求項４】
請求項３に記載した携帯端末のメール中継サーバであって、
さらに、前記メールデータ圧縮手段にて圧縮された圧縮率を計算してそのデータを付加する圧縮率表示手段を有する携帯端末のメール中継サーバ。
【請求項５】
携帯電話やＰＤＡ（パーソナルデジタルアシスタント）などの携帯端末装置であって、
メールデータのうち本文のデータの全角ひらがな、全角カタカナ、全角英数字、全角記号を半角カタカナ、半角英数字、半角記号に変換するメールデータ圧縮手段を有する携帯端末装置。
【請求項６】
請求項５に記載した携帯端末装置であって、
さらに、
メールデータのうち送信元アドレスおよびあて先アドレスに対して所定の法則により擬似アドレスを生成する擬似アドレス生成手段と、
該擬似アドレス生成手段により生成された擬似アドレスと本来のアドレスとの間で変換処理を実行するアドレス書き換え手段と、
を有する携帯端末装置。
【発明の詳細な説明】
【０００１】
【発明の属する技術分野】本発明は、携帯電話やＰＤＡ（パーソナルデジタルアシスタント）、電子手帳などの携帯端末間で電子メールをやり取りする際に、そのメールデータを圧縮する方法に関する。
【０００２】
【従来の技術】従来は、１００文字のメールデータを送信した場合に、受信者側では１００文字のデータを受け取るしかなかった。
【０００３】
【発明が解決しようとする課題】メールデータの受信については、受信したデータ量に応じたパケット課金がなされる。メールが長文になればなるほど、この料金はばかにならない。
【０００４】本発明の発明者は、メールデータを簡単な方法により圧縮して通信料金を節約する方法を考えた。本発明は、携帯端末間のメールデータを圧縮して送る方法を提供することを目的とする。
【０００５】
【課題を解決する手段】上記課題を解決すべく、請求項１に記載した発明は、携帯端末から他の携帯端末へ電子メールを送信する際にそのメールデータを圧縮する携帯端末のメールデータ圧縮方法であって、前記送信側の携帯端末から電子メールを送信する際に、所望のあて先のアドレスから所定の法則により生成される擬似アドレスへ送信する擬似アドレス向け送信ステップと、該擬似アドレス送信ステップにて送信された擬似アドレスにより、該電子メールデータを中継サーバにより受信し、該電子メールデータのうち、擬似アドレスを本来のアドレスに戻すとともに、本文のデータの中の全角ひらがな、全角カタカナ、全角英数字、全角記号を半角カタカナ、半角英数字、半角記号に変換する電子メールデータ圧縮ステップと、所望のあて先へ送信する本来アドレス送信ステップと、を有するものである。
【０００６】請求項２に記載した発明は、請求項１に記載した携帯端末のメールデータ圧縮方法であって、前記電子メールデータ圧縮ステップにおいて、さらに、送信元アドレスを所定の法則により生成される擬似アドレスに変換することにより、前記メールの受け取り者が返信する際にも前記電子メールデータの圧縮ができるようにしたものである。
【０００７】請求項３に記載した発明は、複数の携帯端末のメールサーバの間に介在し、メールデータのやり取りに関与する携帯端末のメール中継サーバであって、メールデータのうち送信元アドレスおよびあて先アドレスに対して所定の法則により擬似アドレスを生成する擬似アドレス生成手段と、該擬似アドレス生成手段により生成された擬似アドレスと本来のアドレスとの間で変換処理を実行するアドレス書き換え手段と、メールデータのうち本文のデータの全角ひらがな、全角カタカナ、全角英数字、全角記号を半角カタカナ、半角英数字、半角記号に変換するメールデータ圧縮手段とを有するものである。
【０００８】請求項４に記載した発明は、請求項３に記載した携帯端末のメール中継サーバであって、さらに、前記メールデータ圧縮手段にて圧縮された圧縮率を計算してそのデータを付加する圧縮率表示手段を有するものである。
【０００９】請求項５二記載した発明は、携帯電話やＰＤＡ（パーソナルデジタルアシスタント）などの携帯端末装置であって、メールデータのうち本文のデータの全角ひらがな、全角カタカナ、全角英数字、全角記号を半角カタカナ、半角英数字、半角記号に変換するメールデータ圧縮手段を有するものである。
【００１０】請求項６に記載した発明は請求項５に記載した携帯端末装置であって、さらに、メールデータのうち送信元アドレスおよびあて先アドレスに対して所定の法則により擬似アドレスを生成する擬似アドレス生成手段と、該擬似アドレス生成手段により生成された擬似アドレスと本来のアドレスとの間で変換処理を実行するアドレス書き換え手段と、を有するものである。
【００１１】
【発明の実施の形態】以下、図面を参照しつつ、本発明の実施形態について説明する。図１は、携帯端末から他の携帯端末へ電子メールを送る際に介在するメールサーバおよび中継サーバの役割を説明するシステム概念図である。図１において携帯端末の代表として携帯電話装置を挙げた。他の携帯端末としては、ＰＤＡ（パーソナルデジタルアシスタント）や電子手帳などが用いることができる。また、携帯端末間でやり取りする電子メールがいわゆるＥ−ＭＡＩＬであれば、インターネットにつながったコンピュータから携帯端末に電子メールを送る際にもこの発明を用いることができる。
【００１２】図１で、送り側の携帯端末で作成された電子メールのデータは、当該携帯電話会社のメールサーバ（ＳＭＴＰサーバ）に送られる（Ｓ１）。ここで、このメールのあて先は、送り主が送りたい所望の相手のアドレスから所定の法則により作成される擬似アドレスに対してこのメールを送信することにより、その送り先を中継サーバにする（Ｓ２）。ここで、所定の法則とは、たとえば、ドメイン名の一部に「９９９」を追加したものとして生成できる。すなわち、メールアドレスは「アカウント＠ドメイン名」として記述されるが、そのうちのドメイン名が「ｘｘｘ．ｎｅ．ｊｐ」であるときに、それを「ｘｘｘ．ｎｅ９９９．ｊｐ」とすることによってこのアドレスの書き換えがなされる。この書き換えを送信者（または送信側の携帯端末）がすることにより、中継サーバにメールが到達する。
【００１３】メールを受け取った中継サーバは、望ましくは、受け取ったメールデータに対して三つの処理を行う。第一に、送信元の情報（ｆｒｏｍ：）に関して上記と同様のドメインの一部を所定の法則（例えば、９９９を追加する）により書き換える変更を加える。メールの受け取り者が返信した際に、同様の圧縮方法の処理を受けることを可能にするためである。第二に、あて先の情報（ｔｏ：）が擬似アドレス（例えば９９９の追加されたアドレス）となっている状態から本来のアドレスに戻す（例えば９９９を削除する）。このメールを本来の受取人に到達させるためである。第三に、メールデータのうち本文のデータの全角ひらがな、全角カタカナ、全角英数字、全角記号を半角カタカナ、半角英数字、半角記号に変換する。これにより、メールデータを圧縮してバイト数を減らすためである。もし、漢字を含まない文章であれば、圧縮率が５０パーセントとなる。漢字を含む場合は圧縮率が例えば、６０パーセントから７０パーセントほどとなる。圧縮率も計算して、メールの本文の最初の部分に追記することとする実施例も可能である。
【００１４】あて先のアドレスが本来のものに書き換わり、さらに圧縮されたメールデータは、Ｓ３−１，Ｓ４−１を介して同一の携帯電話会社であるＤ社の他の携帯電話端末に送られる。あるいは、Ｓ３−２、Ｓ４−２を介して、Ｊ社の携帯電話端末に、さらにあるいは、Ｓ３−３、Ｓ４−３を介してＡ社の携帯電話端末に送られる。図１で実線矢印は、圧縮前のデータの通信を意味し、破線矢印は圧縮後のデータの通信を意味する。
【００１５】図２は、メールを送信する側の入力画面のハードコピーである。通常のメール入力と異なるのは、あて先のメールアドレスに所定の法則による書き換え（ここでは、ドメイン名の一部に９９９を加える変更）をした上で、送信することである。他の点は、通常通り題名を入れ、内容を入力する。
【００１６】図３は、メールを受信する側の表示画面のハードコピーである。前述の中継サーバの働きにより、メールを受信する側では、送信者アドレスに所定の法則による変更（ここではドメイン名の一部に９９９が追加されたもの）がなされた上、内容には最初に圧縮率が表示され、文中の漢字以外の全角文字が半角カタカナまたは半角記号、半角英数字に変換されている。
【００１７】図４は、メールデータの圧縮前後の比較説明図である。送信直後のメールデータでは、送信元のアドレスは、本来のアドレスのままであり、あて先のアドレスは送信者の手により、あるいは送信側の携帯端末の機能により所定の法則による変換されて擬似アドレスに置き換わっている。件名と内容とは通常のメールと同様である。圧縮後のメールデータでは、中継サーバの働きにより送信元のアドレスが所定の法則により擬似アドレスに変換され、あて先のアドレスが本来のアドレスに変換されている。さらに本文には圧縮率の表示がされるとともに圧縮されて変換された文章が表示される。
【００１８】中継サーバが所定の法則により、アドレスの変換をする機能は、俗にエイリアスと呼ばれる機能で実現できる。全角文字（２バイト文字）を半角文字（１バイト文字）に変換することは、正規表現により実現できる。
【００１９】携帯端末装置でこれらの機能を実現するには、携帯電話装置に内蔵されるプログラム機能（プログラム言語）で実現できる。
【００２０】
【効果】本発明は以上のように構成されているから、メール受信の際のバイト数を減らすことができ、ひいてはパケット料金（データ通信料）の削減をすることができる。また、圧縮率を表示することによりユーザはその効果を確認できる。
【図面の簡単な説明】
【図１】携帯端末から他の携帯端末へ電子メールを送る際に介在するメールサーバおよび中継サーバの役割を説明するシステム概念図である。
【図２】メールを送信する側の入力画面のハードコピーである。
【図３】メールを受信する側の表示画面のハードコピーである。
【図４】メールデータの圧縮前後の比較説明図である。
【符号の説明】
【図１】
2004104597.tif 000003
【図２】
2004104597.tif 000004
【図３】
2004104597.tif 000005
【図４】
2004104597.tif 000006